(57)【特許請求の範囲】
【請求項１】
サーバと関連したコンピュータ・メモリにおける電話ハンドセットでの二次電話番号と主電話番号との関連を示す電子情報を自動的に格納するステップと、
前記コンピュータ・メモリの中の前記主電話番号に対するコール処理規則の選択を示す電子情報を自動的に格納するステップと、前記コンピュータ・メモリの中の前記二次電話番号に対するコール処理規則の選択を示す電子情報を自動的に格納するステップと、
前記サーバにおいて前記二次電話番号への着信コールの電子標示を受信するステップであって、着信コールの前記電子標示は、前記サーバに関連するスイッチから受信される、ステップと、
前記二次電話番号への前記着信コールの前記電子標示の受取りに反応する前記サーバのコントロールの下で、自動的に前記二次電話番号に対する前記コール処理規則にアクセスするステップと、
前記二次電話番号に対する前記アクセスされたコール処理規則にしたがって前記着信コールを自動的にハンドリングするステップと、
前記サーバのコントロールの下で、データ・チャネルを通してプレ・コール情報を前記ハンドセットに送信するステップであって、前記プレ・コール情報は、前記スイッチにおいて、前記ハンドセットを前記着信コールに接続するためのブリッジ電話番号を含む、ステップと、
前記データ・チャネルを介して前記サーバにおいて、前記二次電話番号への前記着信コールをハンドリングするためのコール処理規則の選択の電子標示を受信するステップ、または、前記ブリッジ電話番号を使用して前記スイッチをコールしている前記ハンドセットの結果として、前記ハンドセットと前記スイッチの間での音声チャネル接続を確立するステップと、
を含む、電話サービスを提供する方法。
【請求項２】
前記スイッチにおいて、前記二次電話番号への前記着信コールに、前記ブリッジ電話番号を使用して前記スイッチへの前記ハンドセット・コールをブリッジするステップをさらに含む請求項１に記載の方法。
【請求項３】
アプリケーションをサーバから、前記電話ハンドセットへ、前記データ・チャネルを使用して送信するステップであって、該アプリケーションは、
（ａ）前記ハンドセットからの発信コールを管理し、該ハンドセットへのコールを終了することであって、該ハンドセットは、前記主および二次電話番号を使用する、こと、
（ｂ）前記主および二次電話番号と結びついた前記ハンドセットの上で、視覚的に認識できるコール処理規則を提示すること、および、
（ｃ）前記電話ハンドセットから、前記データ・チャネルの上で、前記サーバにコール処理規則の前記選択を、示す情報伝送を管理すること、に適している、ステップをさらに含む請求項１に記載の方法。
【請求項４】
サーバと関連したコンピュータ・メモリにおける電話ハンドセットでの二次電話番号と主電話番号との結びつきを示す電子情報を自動的に格納するステップと、
前記コンピュータ・メモリの中において、ユニークなブリッジ電話番号を複数のコンタクト電話番号の各々と自動的に結びつけるステップと、
前記ユニークなブリッジ電話番号の複数のコンタクト電話番号の各々との結びつきを示す情報を、データ・チャネルを介して前記ハンドセットに自動的に送信するステップと、
前記コンピュータ・メモリの中において、主電話番号およびブリッジ電話番号のペアリングの各々を、対応する二次電話番号およびコンタクト電話番号のペアリングに自動的に結びつけるステップと、
前記サーバと結びついたスイッチにおいて、音声チャネルを介して、前記ハンドセットから前記ブリッジ電話番号への発信コールを受信するステップと、
前記サーバにおいて、前記発信コールが、前記主電話番号から前記ブリッジ電話番号になされることを示す前記スイッチからの情報を受信するステップと、
前記スイッチにおいて、前記スイッチに、
（ａ）前記発信コールを、前記主電話番号とブリッジ電話番号とのペアリングと結びついたコンタクト電話番号に接続するように、また、
（ｂ）前記発信コールが前記二次電話番号としてなされる電話番号を識別するように指示する前記サーバからの情報を受信するステップと、
を含む、電話サービスを提供する方法。
【請求項５】
電話ハンドセットをサーバとスイッチとを有するテレコミュニケーション・システムにおいて登録するステップであって、該電話ハンドセットは、該サーバおよびスイッチに結びついたデータベースにおいて、主電話番号と結びついている、ステップと、
前記サーバから前記電話ハンドセットへ、電話ハンドセット登録に対応するデータ・チャネルを介して、電子的にアプリケーションを送信するステップであって、該アプリケーションは、１つ以上の二次電話番号に、前記データベースにおいて前記主電話番号への参照をつけさせる命令を送信するのに適合し、前記電話ハンドセットの上に、視覚的に認識可能なコール処理規則を提示するのに適合し、前記電話ハンドセットから前記サーバに、コール処理規則の選択を示す情報を送信するのに適合している、ステップと、
前記１つ以上の二次電話番号に前記主電話番号への参照をつけるために、前記データ・チャネルを介して、前記電話ハンドセットから電子的に命令を受信するステップと、
前記主電話番号および該主電話番号への参照をつけられた前記１つ以上の二次電話番号を含む、電話ハンドセット情報を前記データベースに格納するステップと、
前記電話ハンドセットに対するユーザに選択されたコール処理規則を前記データベースに格納するために、前記データ・チャネルを介して、前記電話ハンドセットから電子的に命令を受信するステップであって、前記ユーザに選択されたコール処理規則は、音声チャネルの上で、コールが前記１つ以上の二次電話番号に、または、該１つ以上の二次電話番号からなされることを示すように該コールをルーティングする命令を含む、ステップと、
前記データ・チャネルを介して前記電話ハンドセットに、情報を電子的に送信するステップであって、該情報は、プレ・コール情報を前記１つ以上の二次電話番号を使用する発信コールまたは前記１つ以上の二次電話番号への着信コールの開始に対応して前記電話ハンドセット上に表示させるのに適合している、ステップと、
前記データ・チャネルを介して、前記電話ハンドセットから、前記発信コールまたは着信コールを処理するために使用するユーザが選択したコール処理規則を示すコール・ハンドリング情報を電子的に受信するステップと、
前記コール・ハンドリング情報に基づいて、前記発信コールまたは着信コールを自動的にハンドリングするステップと、
を含む、電話サービスを提供する方法。
【請求項６】
前記アプリケーションは、前記電話ハンドセットに自動的にインストールするのに適合している、請求項５に記載の方法。
【請求項７】
前記コール処理規則は、コールを受信する、コールをドロップする、予め記録されたまたは動的に入力したテキストをカスタム化音声メールの挨拶を声に出すように再生する、予め記録されたまたは動的に入力したテキストを、カスタム化メッセージを声に出すように再生する、または、プレセットされたカスタム化テキスト・メールを送信する命令を提供するのに適合している、請求項５に記載の方法。
【請求項８】
前記コール処理規則は、二次電話番号を、特定の目的のために、または、特定の期間前記主電話番号に、割り当てる命令を提供するのに適合している、請求項５に記載の方法。
【請求項９】
前記ユーザに選択されたコール処理規則は、カスタム化音声メール挨拶、カスタム化メッセージまたはカスタム化携帯メールを、二次電話番号に割り当てる、請求項５に記載の方法。
【請求項１０】
前記ユーザが選択したコール処理規則は、着信コールの発信者ＩＤ、アクセプトした発信者ＩＤリスト、アクセプトしなかった発信者ＩＤリスト、または、平日、週末、一日の時刻、位置データ、バイオメトリクス・データ、または、アクセロメーター・データ情報のうちの１つ以上に基づいて、コール・ルーティングを提供する命令を含む、請求項５に記載の方法。
【請求項１１】
前記ユーザに選択されたコール処理規則は、テキストから音声メッセージを提供するように構成される、請求項１０に記載の方法。
【請求項１２】
前記ユーザに選択されたコール処理規則は、個々の二次電話番号に割り当て可能なコールの特徴を提供するように構成される、請求項５に記載の方法。
【請求項１３】
前記着信コールを自動的にハンドリングする前記ステップは、
前記スイッチにおいて、前記１つ以上の二次電話番号の１つへの着信コールを受信するステップと、
着信コール通知を前記コールされた１つ以上の二次電話番号に割り当てられたアプリケーションに、前記データ・チャネルを介して送信するステップと、
前記電話ハンドセットから前記データ・チャネルを介してコール・アクセプト通知を受信するステップと、前記サーバから前記データ・チャネルの上で、前記着信コールに対する該コール・アクセプト通知の受取りに対応する前記電話ハンドセットへブリッジ番号を送信するステップと、
前記スイッチにおいて、前記電話ハンドセットからコールを受信するステップであって、該ステップは、前記着信コールのアクセプトに応答して、前記ブリッジ番号を使用して前記電話ハンドセットによって自動的になされる、ステップと、
前記電話ハンドセットを、前記着信コールに対して、前記ブリッジ番号を使用してなされた前記コールを前記スイッチにおいて受信された前記着信コールに接続することにより、接続するステップと、
を含む、請求項５に記載の方法。
【請求項１４】
データベースにおいて、電話ハンドセットを主および二次電話番号と結びつけるステップと、
データ・チャネルを介して、前記電話ハンドセットから、前記主電話番号へのコールをハンドリングするための主コール処理規則を示しているデジタル情報を受信するステップと、
デジタル的に前記主コール処理規則を格納するステップと、前記データ・チャネルを介して、前記電話ハンドセットから、前記二次電話番号へのコールをハンドリングするための二次コール処理規則を示しているデジタル情報を受信するステップと、
デジタル的に前記二次コール処理規則を格納するステップと、前記二次電話番号へのコール要求を受信するステップと、
プレ・コール情報を前記コール要求に対応する前記データ・チャネルを介して前記電話ハンドセットに、送信するステップであって、該プレ・コール情報は、前記二次コール処理規則に基づいている、ステップと、前記プレ・コール情報に対応して、前記データ・チャネルの上で、前記電話ハンドセットへのユーザ入力を示す情報を受信するステップと、
前記格納された二次コール処理規則および前記電話ハンドセットへのユーザ入力に基づいて、前記コールを処理するステップであって、該処理は、音声チャネルの上で、前記コールを接続するオプションを含む、ステップと、
を含む、電話サービスを提供する方法。
【請求項１５】
前記コールを処理することは、前記二次電話番号を使用して音声チャネルの上で、前記電話ハンドセットへ、前記コールを接続するという結果となる、請求項１４に記載の方法。
【請求項１６】
前記プレ・コール情報は、前記コールのハンドリングのための二次コール処理規則を選択するチョイスを前記ユーザに提示する視覚的に認識可能な情報を含む、請求項１４に記載の方法。
【請求項１７】
前記電話ハンドセットからコール要求を受信するステップであって、該コール要求は、前記二次電話番号を使用している、ステップと、
前記格納された二次コール処理規則に基づいて、前記コールを処理するステップと、
をさらに含む請求項１４に記載の方法。
【請求項１８】
前記コールが着信コールであるとき、該コールを処理する前記ステップは、前記スイッチにおいて、前記二次電話番号のうちの１つへの着信コールを受信するステップと、
着信コール通知を前記データ・チャネルを介して前記電話ハンドセットに送信するステップと、前記データ・チャネルを介して、前記電話ハンドセットから、コール・アクセプト通知を受信するステップと、
ブリッジ電話番号を、前記サーバから前記データ・チャネルの上で、前記着信コールに対する該コール・アクセプト通知の受取りに対応する前記電話ハンドセットへ送信するステップと、前記スイッチにおいて、前記電話ハンドセットから音声チャネル・コールを受信するステップであって、該ステップは、前記着信コールのアクセプトに応答して、前記ブリッジ電話番号を使用して前記電話ハンドセットによって自動的になされる、ステップと、
前記電話ハンドセットを、前記着信コールに対して、前記ブリッジ電話番号を使用してなされた前記コールを前記スイッチにおいて受信された前記着信コールに接続することにより、接続するステップと、
を含む、請求項５に記載の方法。
【請求項１９】
前記発信コールを自動的にハンドリングする前記ステップは、
前記サーバにおいて、前記１つ以上の二次電話番号のうちの１つを用いて発信コールをなすために、前記データ・チャネルの上で、前記電話ハンドセットからの要求を受信するステップと、
ブリッジ電話番号を、発信コールをなす前記要求の受取りに対応して前記サーバから前記データ・チャネルの上で、前記電話ハンドセットへ送信するステップと、
前記スイッチにおいて、音声チャネルの上で、前記電話ハンドセットからコールを受信するステップであって、該ステップは、前記ブリッジ電話番号を使用して前記電話ハンドセットにより、自動的になされる、ステップと、
前記電話ハンドセットを、前記発信コールに対して、前記ブリッジ電話番号を使用してなされた前記コールを意図されたコールされたパーティに接続することにより、接続するステップであって、前記１つ以上の二次電話番号のうちの前記１つが前記コールされたパーティへのコール番号であるとして識別される、ステップと、
を含む、請求項５に記載の方法。
【請求項２０】
前記ブリッジ電話番号は、前記データベースにおけるコンタクト電話番号とユニークに結びついている、請求項１９に記載の方法。
【請求項２１】
前記データ・チャネルは、インターネット・プロトコル（ＩＰ）チャネルである、請求項１に記載の方法。
【請求項２２】
前記音声チャネルは、ＣＤＭＡまたはＧＳＭ標準にしたがって確立される、請求項２１に記載の方法。
【請求項２３】
前記データ・チャネルは、インターネット・プロトコル（ＩＰ）チャネルである、請求項４に記載の方法。
【請求項２４】
前記音声チャネルは、ＣＤＭＡまたはＧＳＭ標準にしたがって確立される、請求項２３に記載の方法。
【請求項２５】
前記データ・チャネルは、インターネット・プロトコル（ＩＰ）チャネルである、請求項５に記載の方法。
【請求項２６】
前記音声チャネルは、ＣＤＭＡまたはＧＳＭ標準にしたがって確立される、請求項２５に記載の方法。
【請求項２７】
前記データ・チャネルは、インターネット・プロトコル（ＩＰ）チャネルである、請求項１４に記載の方法。
【請求項２８】
前記音声チャネルは、ＣＤＭＡまたはＧＳＭ標準にしたがって確立される、請求項２７に記載の方法。
【発明の詳細な説明】
【技術分野】
【０００１】
本願発明およびアプリケーションは、米国特許出願第１３／９４４８５３号に関連し、その部分継続出願であり、２０１３年７月１７日にファイルされ、「データ・チャンネル電話ネットワーク・システム」と題された米国特許出願第１３／９４４８５３号の早期出願日付、および、優先権の利益を主張するものである。
【０００２】
本願発明は、電話のコールをセット・アップし、接続し、ＣＤＭＡ、ＧＳＭまたはその他音声チャネル配送標準にしたがって、コールの音声部分を届けている間、インターネット・プロトコル（ＩＰ）または、他のデータ・チャネルを用いて、そのような電話のコールに関連した情報を届けるシステムと方法に関する。
【背景技術】
【０００３】
電話とテキスト通信処理量は、劇的に増加し、そして、ユーザは、ますますコールとメッセージとの量を管理することが難しいことを理解している。ある種のコールを管理することを支援する現在のシステムは、ユーザに最小限度の援助を提供するだけである。したがって、コールおよびメッセージの管理で、コール者およびコール受信者を支援するシステムと方法を提供することは本願発明の実施形態の、必ずしもすべてではないが、いくつかのの利点である。
【０００４】
本願発明の種々の実施形態の追加的な利点が、部分的に、以下のあとに続く説明で述べられる。また、部分的に、本願発明の説明および／または実施から当業者には明らかになる。
【発明の概要】
【０００５】
前述の挑戦に対応して、出願人は、コール・ハンドリング情報を送信することによって、ＩＰチャネルまたは同様のプロトコル・チャネルを使用してハンドセットとスイッチとの間でおよび、例えば、ＣＤＭＡまたはＧＳＭ、３Ｇ、４Ｇ、ＬＴＥ、または、将来のプロトコル・チャネル標準などによる音声チャネル・プロトコルにしたがって、提供される音声チャネルを用いるハンドセットとスイッチとの間のコール・ハンドリング情報と結びついた音声コール通話を送信することによって電話サービスを提供する革新的な方法を開発した。
【０００６】
出願人は、さらに、サーバと関連したコンピュータ・メモリにおける電話ハンドセットでの二次電話番号と主電話番号との関連を示す電子情報を自動的に格納するステップと、前記コンピュータ・メモリの中において、前記主電話番号に対するコール処理規則の選択を示す電子情報を自動的に格納するステップと、前記コンピュータ・メモリの中において、前記二次電話番号に対するコール処理規則の選択を示す電子情報を自動的に格納するステップと、前記サーバにおいて前記二次電話番号への着信コールの電子標示を受信するステップであって、着信コールの前記電子標示は、前記サーバに関連するスイッチから受信される、ステップと、前記二次電話番号への前記着信コールの前記電子標示の受取りに反応する前記サーバのコントロールの下で、自動的に前記二次電話番号に対する前記コール処理規則にアクセスするステップと、前記二次電話番号に対する前記アクセスされたコール処理規則にしたがって前記着信コールを自動的にハンドリングするステップと、前記サーバのコントロールの下で、データ・チャネルを通してプレ・コール情報を前記ハンドセットに送信するステップであって、前記プレ・コール情報は、前記スイッチにおいて、前記ハンドセット前記着信コールに接続するためのブリッジ電話番号を含む、ステップと、前記データ・チャネルを介してサーバにおいて、前記二次電話番号への前記着信コールをハンドリングするためのコール処理規則の選択の電子標示を受信するステップと、または、ブリッジ番号を使用して前記スイッチをコールしている前記ハンドセットの結果として、前記ハンドセットと前記スイッチの間での音声チャネル接続を確立するステップと、を含む、革新的な電話サービスを提供する方法を開発した。
【０００７】
出願人は、さらに、サーバと関連したコンピュータ・メモリにおける電話ハンドセットでの二次電話番号と主電話番号との関連を示す電子情報を自動的に格納するステップと、前記コンピュータ・メモリの中において、ユニークなブリッジ電話番号を複数のコンタクト電話番号の各々との自動的に結びつけるステップと、ユニークなブリッジ電話番号の複数のコンタクト電話番号の各々との結びつきを示す情報を、前記データ・チャネルを介して前記ハンドセットに自動的に送信するステップと、前記コンピュータ・メモリの中において、各々の主電話番号およびブリッジ電話番号のペアリングを、対応する二次電話番号およびコンタクト電話番号のペアリングに自動的に結びつけるステップと、前記サーバと結びついたスイッチにおいて、音声チャネルを介して、前記ハンドセットから前記ブリッジ電話番号への発信コールを受信するステップと、前記サーバにおいて、前記発信コールが、前記主電話番号から前記ブリッジ電話番号になされることを示す前記スイッチからの情報を受信するステップと、前記スイッチにおいて、前記スイッチに、（ａ）前記発信コールを、前記主電話番号とブリッジ電話番号とのペアリングと結びついたコンタクト電話番号に接続するように、および、（ｂ）前記発信コールが前記二次電話番号としてなされる電話番号を識別するように指示する前記サーバからの情報を受信するステップと、を含む、革新的な電話サービスを提供する方法を開発した。
【０００８】
出願人は、また、さらに、電話ハンドセットをサーバとスイッチとを有するテレコミュニケーション・システムにおいて登録するステップであって、該電話ハンドセットは、該サーバおよびスイッチに結びついたデータベースにおいて、主電話番号と結びついている、ステップと、前記サーバから前記電話ハンドセットへ、電話ハンドセット登録に対応するデータ・チャネルを介して、電子的にアプリケーションを送信するステップであって、該アプリケーションは、１つ以上の二次電話番号に、前記データベースにおいて前記主電話番号への参照をつけさせる命令を送信するのに適合し、前記電話ハンドセットの上に、視覚的に認識可能なコール処理規則を提示するのに適合し、電話ハンドセットからサーバに、コール処理規則の選択を示す情報を送信するのに適合している、ステップと、前記１つ以上の二次電話番号に前記主電話番号への参照をつけるために、前記データ・チャネルを介して、前記電話ハンドセットから電子的に命令を受信するステップと、前記主電話番号および該主電話番号への参照をつけられた前記１つ以上の二次電話番号を含む、電話ハンドセット情報を前記データベースに格納するステップと、前記電話ハンドセットに対するユーザに選択されたコール処理規則を前記データベースに格納するために、前記データ・チャネルを介して、前記電話ハンドセットから電子的に命令を受信するステップであって、前記ユーザに選択されたコール処理規則は、音声チャネルの上で、該コールが前記１つ以上の二次電話番号に、または、前記１つ以上の二次電話番号からなされることを示すようにコールをルーティングする命令を含む、ステップと、前記データ・チャネルを介して前記電話ハンドセットに、情報を電子的に送信するステップであって、プレ・コール情報を１つ以上の二次電話番号を使用する発信コール、または、前記１つ以上の二次電話番号への着信コールの開始に対応して、前記電話ハンドセット上に表示させるのに適合している、ステップと、前記データ・チャネルを介して、前記電話ハンドセットから、前記発信コールまたは着信コールを処理するために使用するユーザが選択したコール処理規則を示すコール・ハンドリング情報を電子的に受信するステップと、前記コール・ハンドリング情報に基づいて、前記発信コールまたは着信コールを自動的にハンドリングするステップと、を含む、革新的な電話サービスを提供する方法を開発した。
【０００９】
出願人は、また、さらに、データベースにおいて、電話ハンドセットを主および二次電話番号と結びつけるステップと、データ・チャネルを介して、前記電話ハンドセットから、前記第一の電話番号へのコールをハンドリングするための主コール処理規則を示しているデジタル情報を受信するステップと、デジタル的に前記主コール処理規則を格納するステップと、前記データ・チャネルを介して、前記電話ハンドセットから、前記二次電話番号へのコールをハンドリングするための二次コール処理規則を示しているデジタル情報を受信するステップと、デジタル的に前記二次コール処理規則を格納するステップと、前記二次電話番号へのコール要求を受信するステップと、プレ・コール情報を前記コール要求に対応する前記データ・チャネルを介して前記電話ハンドセットに、送信するステップであって、該プレ・コール情報は、前記二次コール処理規則に基づいている、ステップと、前記プレ・コール情報に対応して、前記データ・チャネルの上で、前記電話ハンドセットへのユーザ入力を示す情報を受信するステップと、前記格納された代替的コール処理規則および前記電話ハンドセットへのユーザ入力に基づいて、前記コールを処理するステップであって、該処理は、音声チャネルの上で、前記コールを接続するオプションを含む、ステップと、を含む、革新的な電話サービスを提供する方法を開発した。
【００１０】
前述の概説と以下の詳しい説明の両方とも、例示的であり、そして、説明的なだけのものであり、本願において主張された本願発明のを制限するものではないことが理解されるべきである。
【図面の簡単な説明】
【００１１】
この発明の理解を支援するために、次に、添付の図面への参照がなされる。そこでは、同様の参照符号は、同様の要素を指す。
【図１】図１は、本願発明の実施形態にしたがって、電話サービスを提供するために使用することができる、ネットワーク・アーキテクチャを図示する概要図である。
【図２】図２は、本願発明の実施形態にしたがって、電話コールを提供する方法を図示するブロック図である。
【図３】図３は、本願発明の実施形態にしたがって、電話サービスを提供するために使用される、データ・チャネルおよび音声チャネル接続を図示するブロック図である。
【図４】図４は、本願発明の１つの実施形態にしたがって、着信コールを設定して、接続する方法を図示するブロック図である。
【図５】図５は、本願発明の１つの実施形態にしたがって、発信コールを設定して、接続する方法を図示するブロック図である。
【図６】図６は、本願発明の１つの実施形態にしたがって、カンファレンス・コールを設定して、接続する方法を図示するコール・シーケンス図である。
【発明を実施するための形態】
【００１２】
次に、本願発明の実施形態、添付の図面中で図示される例への参照が、詳細になされる。他の例示的実施形態は、利用することができ、そして、構造の変更は、本願発明の範囲を逸脱しない範囲で作ることができることが理解されるべきである。
【００１３】
記述された実施形態に関連して、データ・チャネルに対する参照がなされることに留意する。好適なデータ・チャネルは、インターネット・プロトコル（ＩＰ）チャネルであり得る。これは、従来の電話の音声チャネルでない。しかしながら、他データ、従来のものでない音声、その上で電話ハンドセットおよびサーバの間で情報が送信されるチャネルは、本願発明の代替的実施形態において使用することができる。
【００１４】
図１を参照すると、本願発明の実施形態は、サーバ１００、データベース１２０となど関連コンピュータ・メモリ、および、電話ハンドセット３４０でネットワークを通して通信する関連テレコミュニケーション・スイッチ１１０を有するシステムを使用してインプリメントすることができる。サーバ１００は、データベース１２０およびスイッチ１１０に接続することができる。サーバ１００は、モバイル・ネットワーク３１３に、例えば、ゲートウェイＧＰＲＳサポート・ノード（ＧＧＳＮ）３２２およびサービスＧＰＲＳサポート・ノード（ＳＧＳＮ）３２４など１つ以上のノードを通って、インターネット３１６を介して接続することができる。スイッチ１１０は、ＰＳＴＮ３１０を通して、モバイル・ネットワーク３１３にモバイル・スイッチング・センター（ＭＳＣ）３１４において接続することができる。また、順に、ＭＳＣ３１４は、ホーム・ロケーション・レジスタ・データベース（ＨＬＲ）３１８、ビジタ・ロケーション・レジスタ・データベース（３１２）、モバイル・ナンバー・ポータビリティ・データベース（ＭＮＰ）３２０、ロケーション・サーバ３０８、および、ＳＧＳＮ３２４に接続することができる。ＳＧＳＮ３２４は、１つ以上のラジオ・ネットワーク・コントローラ（ＲＮＣ）３２６、および／または、１つ以上のプロセッサ・コントロール・ユニット（ＰＣＵ）３２７に接続することができる。これらは、また、順に、１つ以上のベース・ステーション（ＢＳ）３２８に、および、集合的に「ハンドセット」３４０と称される１つ以上のモバイル・デバイスに接続することができる。
【００１５】
インターネット３１６の上の、サーバ１００とハンドセット３４０との間の通信は、ＩＰをＣＤＭＡ、ＧＳＭまたはその他の標準にしたがって、通信を確立するのに用いられるプロトコルと反対のプロトコルとして利用することができるそのようなＩＰが支配する通信は、ここでは「データ・チャネル」の上に伝導されるという。反対に、ＰＳＴＮ３１０の上のスイッチ１１０とハンドセットとの間の通信は、ＩＰを使用するのに対して、ＣＤＭＡ、ＧＳＭまたはその他標準にしたがって、送信および受信することができる。そのようなＣＤＭＡ、ＧＳＭ、または、同様な支配された通信は、音声情報を搬送するのに使用されるとき、ここでは「音声チャネル」の上に伝導されるという。
【００１６】
図１および図２を参照すると、本願発明の方法の実施形態は、ステップ２００から始めることができる。ここで、ハンドセット３４０を、本願発明の実施形態にしたがって電話サービスを提供するために使用される、サーバ１００とスイッチ１１０とを含む電話ネットワークに加入するために使用することができる。ユーザは、ステップ２００において、ハンドセットとサーバ１００との間のデータ・チャネル接続を使用して、電話ハンドセット３４０を登録することによって電話ネットワークに加入することができる。ハンドセット３４０から受信されたデータ・チャネル要求に対応して、ハンドセット・アプリケーションが、サーバ１００からハンドセットに送信され、ステップ２０２において、ハンドセットと結びついたメモリにインストールされ、そして、格納される。一旦、ハンドセット・アプリケーションがハンドセット３４０にインストールされると、ハンドセット・アプリケーションの動作によって、必要に応じて、ＢＳ３２８、ＲＮＣ３２６またはＰＣＵ３２７、ＳＧＳＮ３２４、ＧＧＳＮ３２２、および、インターネット３１６を含むことができるデータ・チャネル接続上で、ハンドセットは、サーバ１００に接続することができる。
【００１７】
ステップ２０４に関連して、サーバ１００は、データ・チャネルを介して、情報をハンドセット３４０に送信することができる。これは、ハンドセット・アプリケーションの自動操作を通して、ユーザが、ハンドセットのための主電話番号への参照をつけられた１つ以上の二次電話番号を選択するのを可能にする。主電話番号は、好適には、アクティベーションの時にハンドセット３４０に割り当てられるＳＩＭ番号またはＥＳＮであることができる一旦、選択されると、ハンドセット３４０は、二次電話番号が、主電話番号と結びついていることを要求するデータ・チャネルの上のサーバ１００に、情報を自動的に送信することができる。応答して、サーバ１００は、データベース１２０などの、サーバに結びついたコンピュータ・メモリに、１つ以上の選択された二次電話番号の結びつきを示す情報を格納（すなわち、参照）することができる。代替的な実施形態において、サーバ１００は、１つ以上の二次電話番号を選択されたものと対照的に、ハンドセット３４０に、自動的に割り当てることができる。
【００１８】
図２のステップ２０６において、ハンドセット３４０を、ハンドセット３４０との着信および発信音声チャネル・コールをハンドリングするためのコール処理規則を選択するために、その上にインストールされたハンドセット・アプリケーションにアクセスするのに使用することができ、コール処理規則を示す情報は、ハンドセット・アプリケーションの自動操作によって、ハンドセット３４０からデータ・チャネルを介して前記サーバ１００に送信することができる。カスタム・コール処理規則を、主電話番号と主電話番号と結びついた１つ以上の二次電話番号の各々に対して選択し、結びつけることができる。コール処理規則情報は、サーバ１００により、データベース１２０などのコンピュータ・メモリの中に自動的に格納することができる。特定のハンドセット３４０おおび特定の主および／または二次電話番号との、特定のコール処理規則の結びつきの標示は、また、データベースで１２０に格納される。このコール処理規則は、その主および／または二次電話番号と結びついたカスタム化格納音声メールおよび／またはカスタム化格納テキスト・メッセージなどの着信コールに対する予めセットされた応答を含むことができる。コール処理規則は、更に、ハンドセット３４０を追加的な二次電話番号のアクティブ化および既存の二次電話番号のアクティブ解除と並んで、二次電話番号の可用性を制御するために、使用することを可能にする。主電話番号および二次電話番号に対するコール処理規則を示す情報は、ハンドセット３４０と結びついたメモリに自動的に格納することができる。コール処理規則は、着信コールをアクセプトするか否か（すなわち、ドロップするか否か）のオプションなどすべての電話番号のために使用されるストック規則を更に含むことができる、ステップ２０８を参照すると、ハンドセット３４０の上に格納されるアプリケーションは、それが、受信者電話（図示せず）から着信コールを受信するのに、また、受信者電話に発信コールを行うのに用いのを可能にすることができる。この受信者電話は、下記でより詳細に説明されるように、ＰＳＴＮ３１０接続している。
【００１９】
図３および図４を参照すると、ハンドセット３４０は、ネットワーク層１０１およびそれに結びついたアプリケーション層１０２を有する電話ネットワーク自動構造を使用して、二次電話番号への着信（終端）コールを受信するのに使用することができる。二次電話番号への着信コールは、コールするパーティンによってステップ４０２に置くことができる。着信コールは、コール者の電話からＰＳＴＮ３１０にルーティングすることができる。ステップ４０４において、着信コールは、ＰＳＴＮ３１０の上で、スイッチ１１０にルーティングすることができる。スイッチ１１０における着信コールの受取りに対応して、コール・マネージャ１０４アプリケーションは、モビリティ・マネージャ１０６アプリケーションおよびウェブ・マネージャ１０８アプリケーションと協力し、これらは、すべてはサーバ１００に関連しており、データベース１２０におけるコール処理規則にアクセスすることができる。コール処理規則は、コールされる二次電話番号と結びついている。アクセスされたコール処理規則にしたがって、コール・マネージャ１０４は、ステップ４０６にいて、コールの完了のために使用するようにブリッジ電話番号を割り当てる、あるいは、調べることができる。ブリッジ電話番号は、スイッチ１１０に結びつくことができ、そのブリッジ電話番号へのコールを、このスイッチに自動的にルーティングすることができる。
【００２０】
このコール処理規則は、コール配布アルゴリズムを通して、コール・ルーティングに提供することができる。ここで、このコールは、１つ、または、多くの電話番号にルーティングすることができる。このコール処理規則は、ユーザ選択可能および構成可能であり、音声、テキストや他のデータ・メッセージ送信に適用することができる。このコール処理規則は、コールがどのようにハンドリングされるかを支配することができ、コールする、および／または、コールされるパーティの位置データに基づいて、自動コール・ルーティングまたはコール・ドロップを提供することができる。このコール処理規則は、さらに、着信コール者のＩＤに基づいて、コールのハンドリングを支配することができる。このＩＤは、コールするパーティをアクセプトしたコール者のＩＤリスト、または、アクセプトしないコール者のＩＤリストにあるものとして、識別することができる。このコール処理規則は、更に、平日、週末、休日、一日の時刻、バイオメトリクス・データ、および、アクセロメーター・データ情報に基づいて、コール・ルーティングを提供することができる。コール処理規則は、また、更に、コールをアクセプトする可用性をチェックするハンドセット３４０カレンダーとのインタフェースに基づいて、コール・ルーティングを提供することができる。例えば、アウトルック（Ｏｕｔｌｏｏｋ）、グーグル・カレンダー（Ｇｏｏｇｌｅ  Ｃａｌｅｎｄａｒ）、および、他のユーザ・カレンダーなど、そのようなカレンダーを含むことができる。
【００２１】
コール処理規則が、二次電話番号はこの特定の発信者に、あるいは、すべての発信者に利用可能でないことを示すならば、しかしながら、コール・マネージャ１０４は、そのような規則を適用して、ステップ４０６の結論において、着信コールを拒絶することができる。コール拒絶に対するコール処理規則の適用は、単に答えないコールというだけでなく、ドロップする、あるいは、音声、テキスト、または、メッセージの他のタイプの、コールした電話番号またはそれに結びついた通信デバイスへの自動リターンの結果になり得る。
【００２２】
一方、コール処理規則が、そのコールの完了を可能とするならば、ステップ４０８において、コール・マネージャ１０４は、プレ・コール通知情報をハンドセット３４０へ送信することができる。データ・チャネル接続を介して、すなわち、インターネット３１６、および、モバイル・データ・ネットワーク３４８の上で、それは割り当てられた／調べられたブリッジ電話番号を含む。プレ・コール情報は、ステップ４１０における他の情報とならんで、コールしている電話番号、コールしているパーティ名、ＧＰＳ位置などコールしているパーティ位置、および／または、コールされた二次電話番号の表示をさせる、ハンドセット３４０の上にインストールされているアプリケーションによって使用される情報を含むことができる。着信プレ・コール情報は、ハンドセットの上でコール・リンギングの前またはその間に、ハンドセット３４０において、受信することができる。
【００２３】
ステップ４１２において、着信プレ・コール通知情報の受取りに応答して、ハンドセット・アプリケーションは、ハンドセット３４０に、そのコールに対するハンドリング選択を表示させることができる。例えば、ハンドセット３４０を、ハンドセット・アプリケーションのコントロールの下で、着信コール、ドロップ・コール、カスタム化音声メールメッセージ、および／または、カスタム化携帯メール選択肢を表示するように指示することができる。その選択肢は、ハンドセット３４０とのインタラクションを通して、コールが接続されるか、ドロップされる前に、すべて選択することができる。ステップ４１４において、対応するテキスト・メッセージを届ける（４１６）か、そのコールをアクセプトしない、すなわち、ドロップするか、または、そのコールにカスタム化音声メッセージで応答する（４２０）か、のいずれかの選択を、ハンドセット３４０からデータ・チャネルを介して前記サーバ１００に送信することができる。その後、コール・マネージャ１０４は、ドロップ・コールを自動的にインプリメントすることができる、または、データ・チャネルの上で受信したテキストまたは音声メッセージ命令に応答することができる。そして、そのコール試行を、その後、終了することができる。
【００２４】
ステップ４１４において、コールがアクセプトされないならば、しかしながら、ハンドセット・アプリケーションは、ハンドセット３４０に自動的に、ステップ４２２において、音声チャネルの上で、ブリッジ電話番号をコールさせることができる。ハンドセット３４０からブリッジ電話番号へのリターン・コールは、ＰＳＴＮ３１０の上で、前記音声チャネル接続を使用して、スイッチ１１０へルーティングすることができる。ステップ４２４において、一旦、ブリッジ電話番号へのコールが、スイッチ１１０において、受信されると、そのスイッチは、その着信音声チャネル・コールを、それによって、着信コールをコールするパーティから音声チャネルを介して、ハンドセット３４０に接続するための二次電話番号への着信音声チャネル・コールでブリッジ電話番号に「ブリッジ」することができる。さらに、スイッチ１１０は、二次電話番号をコールが完了した番号として表示させるコールするパーティの電話に信号伝達情報を自動的に送信することができる。
【００２５】
図３を継続的に参照して、ウェブ・マネージャ１０８は、サーバ１１０のためのインターネット３１６トランザクションを処理すること使用することができる。このシステムは、ポータルサイト３５０をハンドヘルド３４０以外のデジタル装置３６０を本願発明の実施形態にしたがってコールするためにテレコミュニケーション・システムにリンクするのに使用することもできる。例えば、本願発明の実施形態を、例えば、デスクトップ・コンピュータ、ラップトップ・コンピュータ、アイ・パッド、タブレット、アイ・ポッド７９０、その他デジタル装置３６０と使用することができる。
【００２６】
図３および図５を参照すると、ハンドセット３４０を、図３に示され、上で記述された電話ネットワーク自動化構造を使用する二次電話番号から発信（発信側）コールをするのに使用することができる。コールされるべきパーティが二次電話番号を使用して、まだコールされていないならば、ハンドセット３４０からの発信コールをその上にインストールされたハンドセット・アプリケーションをオープンすることによってステップ５０２のそのようなパーティに開始することができる。一旦、ハンドセット・アプリケーションがオープンになると、ハンドセット３４０を、二次電話番号を、ステップ５０４において、発信側電話番号として選択するのに使用することができる。そのような二次電話番号のリストは、ハンドセットと結びついたメモリに格納されることができる。
【００２７】
ステップ５０６において、ハンドセット３４０を、そのような電話番号へのコールを開始するために、コールされるべきコンタクト電話番号に入る、または、アドレス・ファイルから選択するのに使用することができる。受話器アプリケーションは、ハンドセット３４０に、情報を二次電話番号およびコンタクト電話番号の選択の結果として、データ・チャネルを通して自動的にサーバ１００コール・マネージャ１０４に送信するようにさせることができる。その伝達情報は、そのコールがされたコールされたパーティのように見える二次電話番号および、コールされるべきコンタクト電話番号を示すことができる。
【００２８】
ステップ５０８において、それからコールされるべき電話番号にコールの設定を要求しているハンドセット３４０からデータ・チャネル・コミュニケーションの受取りに対応して、コール・マネージャ１０４は、そのコールがなされたように見える二次電話番号と結びついているデータベース１２０におけるコール処理規則にアクセスすることができる。ステップ５１０において、アクセスされたコール処理規則にしたがって、コール・マネージャ１０４は、ハンドセット３４０からスイッチ１１０にそのコールを接続し、そして、ブリッジ電話番号を含むプレ・コール情報をそのデータ・チャネルを介してそのハンドセットに送信するのに使用されるブリッジ電話番号を割り当てることができる。
【００２９】
ブリッジ電話番号をスイッチ１１０と結びつけることができる。そして、そのブリッジ電話番号へのコールを、このスイッチに自動的にルーティングすることができる。一旦、ブリッジ電話番号が割り当てられるならば、コール・マネージャ１０４のコントロールの下になるサーバ１００は、ブリッジ電話番号ハンドセット３４０の主電話番号、そのコールのために選択された二次電話番号、および、コールされるべきコンタクト電話番号を結びつけるデータベース１２０に情報を格納することができる。より詳細には、この格納された情報は、主電話番号とブリッジ電話番号との各々の組合せは、二次電話番号とコンタクト電話番号との各々の組合せとユニークに結びついていることを示すことができる。言い換えると、ハンドセット３４０のための主電話番号とブリッジ電話番号との各々の組合せは、データベース１２０メモリにおいて、二次電話番号とコンタクト電話番号とのユニークな組合せにマップされる。
【００３０】
ステップ５１２において、データ・チャネルの上のブリッジ電話番号情報の受取りに対応して、ハンドセット・アプリケーションは、ハンドセット３４０に、音声チャネルを介して、自動的にブリッジ電話番号をコールさせることができる。ハンドセット３４０からブリッジ電話番号へのリターン・コールは、音声チャネル接続を使用しているスイッチ１１０に、ＰＳＴＮ３１０の上でルーティングすることができる。
【００３１】
ステップ５１４において、コール・マネージャ１０４は、スイッチ１１０に音声チャネル・コールを、コールされるべき電話番号に、スイッチからの発信側電話番号として二次電話番号を使用してするように指示することができる。一旦、ハンドセット３４０からブリッジ電話番号へのコールが、スイッチ１１０において受信されると、スイッチは、着信音声チャネル・コールを、二次電話番号からそれによってハンドセット３４０から発信コールを音声チャネルを介して、コールされているパーティに接続するために、コンタクト電話番号への発信音声チャネル・コールとともに、ブリッジ電話番号に「ブリッジ」することができる。また、スイッチ１１０は、二次電話番号をコールがなされたように見える番号として表示させるコールされたパーティの電話に信号伝達情報を自動的に送信することができる。主電話番号とブリッジ電話番号との各々のペアリングが、ユニークなコンタクト電話番号と二次電話番号とペアリングにマップされるので、そのコールは、スイッチ１１０において、正しいコンタクト電話番号にたいして完了することができる。一方、所望の二次電話番号を発信側番号として示す。
【００３２】
図５を継続的に参照して、コンタクト電話が、ハンドセット３４０の上で二次電話番号を使用して以前コールされていた場合には、ユーザは、ステップ５０２でハンドセット・アプリケーションを使用して、または、ステップ５１２で、ハンドセット・アプリケーションをオープンすることなく、のいずれかで、ステップ５０６において、二次電話番号とコンタクト電話番号とに結びついたブリッジ電話番号を直接選択することができる。代替的に、そのハンドセットは、ユーザが呼ばれるコンタクト電話番号を第二の電話番号から選択するとき、結果として、そのブリッジ電話番号がダイヤルされていることになるような格納された「ショートカット」を有することができる。どちらのケースでも、ハンドセット３４０は、ステップ５１２において、コール・マネージャ１０４に接続するために、ブリッジ電話番号をダイヤルすることができる。ステップ５１４において、コール・マネージャ１０４は、ハンドセット３４０に対してペアになったブリッジ電話番号と主電話番号と結びついた二次電話番号およびコンタクト電話番号を調べることができる。その後、スイッチ１１０は、コンタクト電話番号にダイヤルし、そのコールを、ハンドセット３４０から、その二次電話番号をそのコールがされた電話番号であるように見えさせるような方法で、ブリッジすることができる。
【００３３】
図６は、本願発明の実施形態にしたがって、マルチ・パーティ・カンファレンス・コールを設定し接続する方法を図示しているコール・フローチャートである。図３および図６を参照すると、カンファレンス・コールのためのコミュニケーション・シーケンスが、ハンドセット３４０の上で格納されるハンドセット・アプリケーション、サーバ１００およびスイッチ１１０と結びついたコール・マネージャ１０４アプリケーション、そして、カンファレンス・コール招待者ハンドセットの間で、図示される。ステップ６００において、ハンドセット３４０の上のアプリケーションを、カンファレンス・コールの招待者（ユーザ）を選択するために使用することができる。招待者の電話番号を、アドレス帳から選択することができる、または、マニュアルで、入力することができる。また、カンファレンス・コールは、すぐに開始されるか、あるいは，ある将来の日付、時間に開始されるかを選択することができる。
【００３４】
一旦、招待者が選択されると、ハンドセット３４０は、ハンドセット・アプリケーションによって、カンファレンス要求を、データ・チャネルを介して、サーバ１００に送信するように指示されることができる。ステップ６０２において、サーバ１００の上のコール・マネージャ１０４は、カンファレンス・ブリッジ電話番号をカンファレンス要求の受取りに応答して、カンファレンス・コールに割り当てることができる。ステップ６０４において、コール・マネージャ１０４は、サーバ１００に、招待者ハンドセットの各々に、さらに、とりわけ、データ・チャネルを介してその招待者ハンドセットの上に格納されたアプリケーションにカンファレンス招待メッセージを送信させることができる。この招待メッセージは、カンファレンス・コールに対して割り当てられたブリッジ電話番号、および、カンファレンス・コールのためのオプションのＰＩＮまたはコード番号を含むことができる。招待メッセージは、例えば、「ジャックは、カンファレンス・コールに加わるようにあなたを招待した」など、通知を提供することができる。そして、また、他の招待された参加者の識別を更に含むことができる。
【００３５】
ステップ６０６において、各々の招待者のハンドセットは、カンファレンス・コールに加わることを受け入れる、あとの時間に加わる、または、参加することを却下する、ために使用することができる。将来の予定の電話会議に対して受け入れるならば、受容（遅れて参加するという受容を含む）の標示は、その上にインストールされるアプリケーションのコントロールの下に、各々の招待者ハンドセットから、データ・チャネルを介して、サーバ１００コール・マネージー１０４に、送信することができる。また、招待が、全く断られるならば、その標示は、各々の招待者ハンドセットからサーバ１００に送信されることができる。その後、コール・マネージャ１０４は、データ・チャネルを通して、将来の電話会議の受容、遅れて参加する受容（ステップ６１０）、または、カンファレンス・コール招待の断りを示す発信側受話器３４０に、および、任意選択的に、招待者ハンドセットに、情報を送信することができる。
【００３６】
カンファレンス・コール招待が受け入れられ、そして、そのコールの時刻であるならば、各々の受容招待者ハンドセットは、自動的に、または、手動で、音声チャネルを使用して、ブリッジ電話番号にダイヤルする。スイッチ１１０は、ブリッジ電話番号への音声チャネル・コールを受信することができ、ステップ６０８において、招待者によって入力された任意のＰＩＮを、カンファレンス・コールのために選択されたＰＩＮと比較するのと同様に、その招待者の電話番号を招待者リストのそれと比較することによって、カンファレンス・コールに参加する招待者の権利を認証することができる。認証が成功であるならば、招待者ハンドセットは、音声チャネルを介して、コールに接続される。特定の招待者ハンドセットがカンファレンス・コールに参加したことを示す自動的アップデートを、データ・チャネルを介してサーバから発信側ハンドセット３４０に送信することができる。
【００３７】
招待者が遅れて参加することを選んだならば、サーバ１００は、自動的に、リマインダをステップ６１２において、同意された時刻にコールに参加するように、影響を受けた招待者受話器に送信することができる。その後、遅れて参加する招待者ハンドセットは、自動的に、または、音声チャネルを用いて手動で、ブリッジ電話番号にダイヤルすることができる。スイッチ１１０は、ブリッジ電話番号への音声チャネル・コールを受信し、遅れて参加する招待者ハンドセットを認証し、ステップ６１４において、カンファレンス・コールへそのハンドセットを接続することができる。
【００３８】
前述は、本願発明の原則、実施形態、および、動作のモード動作を記載したものである。しかしながら、本願発明は、議論された特定の実施形態に制限されるものとして解釈されてはならない。上に記述された実施形態は、制限的であるというよりはむしろ例示的なものとみなされるべきであり、それらの実施形態において、当業者によって、本願の請求項によって規定される本願発明の範囲から離れることなく、バリエーションをつくることができることが理解されるべきである。
【図１】
0006031634.tif 000002
【図２】
0006031634.tif 000003
【図３】
0006031634.tif 000004
【図４】
0006031634.tif 000005
【図５】
0006031634.tif 000006
【図６】
0006031634.tif 000007